(57)【特許請求の範囲】
【請求項１】
通水性を有する落ち葉除け部材を、軒樋の上方開口部のうち、少なくとも軒樋の屋外側耳部から屋根の先端部にかけての上方開口面を覆うように取付けた軒樋の落ち葉除け構造であって、落ち葉除け部材は、落ち葉受け部と通風部を備えたものであり、２つ以上の落ち葉受け部がそれぞれ通風部を介して設けられており、落ち葉受け部と通風部との間に屈曲部が形成され、屋外側の落ち葉受け部の傾斜角度は、建物側の落ち葉受け部の傾斜角度よりも大きく形成されていることを特徴とする軒樋の落ち葉除け構造。
【請求項２】
通風部は、落ち葉受け部の屋外側に形成されていることを特徴とする請求項１に記載の軒樋の落ち葉除け構造。
【請求項３】
屋外側の落ち葉受け部の屋外側端部が軒樋の屋外側耳部付近に位置することを特徴とする請求項１又は請求項２に記載の軒樋の落ち葉除け構造。
【請求項４】
落ち葉受け部の一部又は全部、及び、通風部の一部又は全部、を屋根上面の仮想延長線よりも上側に位置させたことを特徴とする請求項１ないし請求項３のいずれかに記載の軒樋の落ち葉除け構造。
【発明の詳細な説明】
【技術分野】
【０００１】
本発明は、軒樋内への落ち葉やゴミ等の入り込みを防止するための軒樋の落ち葉除け構造に関するものである。
【背景技術】
【０００２】
従来、軒樋内に落ち葉やゴミ等が入り込み、堆積すると、軒樋が詰まって雨水が流れなくなり、雨水が軒樋から溢れ出してしまうという問題があった。
【０００３】
そこで、軒樋内への落ち葉やゴミ等の入り込みを防止するために、軒先に固定される樋支持具に軒樋を吊下保持せしめ、同樋支持具上に前下方へ傾斜したごみ避け多孔板を取着保持せしめ、該ごみ避け多孔板の前端縁部を軒樋の前側上端部上側に、同ごみ避け多孔板の後端縁部を屋根先部下側に、各々近接状態に位置させてなる軒先樋装置が考案されている（特許文献１）。
【０００４】
この軒先樋装置は、落ち葉、紙片等のごみが少量の場合は、スムーズに滑り落とされて軒樋上に堆積することがなく、屋根先部から流下する雨水は軒樋内に支障なく受けられるものとされている。
【０００５】
また、軒樋の上端開口部に被せる網カバーであって、その中央が上方に円弧状に隆起し、その左右が下方に円弧状に膨出傾斜した網カバーと、該カバーの左右の側縁を軒樋の左右の上端側縁に固定するための固定手段とからなる軒樋保護カバーも提案されている（特許文献２）。
【０００６】
この軒樋保護カバーも同様に、落ち葉や小石や砂等の塵埃が少量の場合は、それらが軒樋内側に入り込むのを防いで、それらの塵埃を軒下に確実に落下させることのできるものとされている。
【先行技術文献】
【特許文献】
【０００７】
【特許文献１】実開平０５−７８７６２号公報
【特許文献２】特開平１０−３７４１１号公報
【発明の概要】
【発明が解決しようとする課題】
【０００８】
しかしながら、特許文献１に記載の軒先樋装置のごみ避け多孔板は、軒樋の前側上端部上側から屋根先部下側に跨る平坦面として形成されているため、ごみ避け多孔板の上に載った落ち葉等は、ごみ避け多孔板の表面形状（平坦面）に添って引っ掛かり易くなり、雨水の量が少なかったり、落ち葉等の量が多かったりする場合には、落ち葉等がスムーズに滑り落とされず、ごみ避け多孔板の上に添うように引っ掛かって残留し、堆積する恐れがあり、雨水が軒樋内に流入できず、雨水が軒樋から溢れ出してしまうという問題が残されていた。
【０００９】
また、特許文献２に記載の軒樋保護カバーの網カバーは、大きな曲率の円弧状に形成されているため、その表面形状（円弧状）に添って落ち葉等が引っ掛かって残留し易くなり、上述したごみ避け多孔板と同様の問題が残されていた。
【００１０】
本発明は、上記の問題に鑑みてなされたもので、その解決しようとする課題は、軒樋内への落ち葉等の入り込みを防止すると共に、落ち葉等が落ち葉除け部材の上に載っても、落ち葉除け部材の表面形状に添って引っ掛かり難く、さらには、落ち葉等が風の力で速やかに取り除かれる軒樋の落ち葉除け構造を提供することにある。
【課題を解決するための手段】
【００１１】
上記目的を達成するため、本発明に係る軒樋の落ち葉除け構造は、通水性を有する落ち葉除け部材を、軒樋の上方開口部のうち、少なくとも軒樋の屋外側耳部と屋根の先端部にかけての上方開口面を覆うように取付けた軒樋の落ち葉除け構造であって、落ち葉除け部材は、落ち葉受け部と通風部を備えたものであり、２つ以上の落ち葉受け部がそれぞれ通風部を介して設けられており、落ち葉受け部と通風部との間に屈曲部が形成され、屋外側の落ち葉受け部の傾斜角度は、建物側の落ち葉受け部の傾斜角度よりも大きく形成されていることを特徴とするものである。
【００１２】
本発明の軒樋の落ち葉除け構造においては、通風部が、落ち葉受け部の屋外側に形成されていることが好ましい。また、屋外側の落ち葉受け部の屋外側端部が軒樋の屋外側耳部付近に位置することがより好ましく、さらに、落ち葉受け部の一部又は全部、及び、通風部の一部又は全部、を屋根上面の仮想延長線よりも上側に位置させたことがより好ましい。
尚、落ち葉受け部又は通風部の傾斜角度とは、落ち葉除け部材を軒樋に取付けた状態において、落ち葉受け部又は通風部の水平に対する傾斜角度のことを意味するものである。
【発明の効果】
【００１３】
本発明の軒樋の落ち葉除け構造は、通水性を有する落ち葉除け部材を、軒樋の上方開口部のうち、少なくとも軒樋の屋外側耳部と屋根の先端部にかけての上方開口面を覆うように取付けた軒樋の落ち葉除け構造であって、落ち葉除け部材は、落ち葉受け部と通風部を備え、２つ以上の落ち葉受け部がそれぞれ通風部を介して設けられており、落ち葉受け部と通風部との間に屈曲部が形成され、屋外側の落ち葉受け部の傾斜角度が、建物側の落ち葉受け部の傾斜角度よりも大きく形成されているので、落ち葉等が屈曲部を跨いで落ち葉受け部から通風部にかけての屈曲した表面形状に添うように引っ掛かることは困難である。その結果、落ち葉等と落ち葉除け部材との間に隙間ができ、接触面積が少なくなるため、引っ掛かる部分が少なくなって、風で吹き飛ばされ易くなり、落ち葉等が落ち葉受け部に堆積する恐れがなくなる。また、通風部を設けることで風が通風部から落ち葉除け部材の内側（裏側）に吹き込むことができ、落ち葉受け部に載った落ち葉等の裏側に風が吹き付けるので、落ち葉等を容易に吹き飛ばすことができ、落ち葉等が落ち葉受け部に堆積する恐れがなくなる。さらに、落ち葉受け部に載った落ち葉等が雨水や朝露等によって濡れている場合であっても、落ち葉等の裏側（落ち葉除け部材の裏側）から風が吹き付けることにより、落ち葉等と落ち葉除け部材とが接触している部分の乾きが速くなり、風によって吹き飛ばされ易くなるため、落ち葉等が落ち葉受け部に堆積する恐れがなくなる。さらに、建物側から屋外側へ向かうにつれて傾斜角度が大きくなるため、特に屋外側の落ち葉受け部に載った落ち葉等が屋外側へ滑り落ち易くなって、落ち葉受け部に落ち葉等が堆積する恐れがなくなると共に、屋外側の落ち葉受け部の建物側に形成されている通風部の前に落ち葉等が堆積しないので、通風部１ｂに風Ｗが吹き込むのを遮るものがないため、風Ｗは確実に通風部から落ち葉除け部材の内側へ吹き込むことができる。
【００１４】
また、通風部が、落ち葉受け部の屋外側に形成されていることで、屋外側の通風部から落ち葉除け部材の内側に吹き込んだ風が、建物側の落ち葉受け部の裏側へ直接的に吹き付けることができる。
【００１６】
また、屋外側の落ち葉受け部の屋外側端部を軒樋の屋外側耳部付近に位置させると、落ち葉受け部と軒樋との隙間がほとんどなくなり、落ち葉受け部から屋外側へ向かって滑り落ちる落ち葉等が落ち葉受け部と軒樋との隙間に堆積することがなくなる。
【００１７】
さらに、落ち葉受け部の一部又は全部、及び、通風部の一部又は全部、を屋根上面の仮想延長線よりも上側に位置させることで、通風部から吹き込んだ風が屋根の上面に向かって吹き抜けることができるため、風の通りがよくなって、落ち葉受け部に載った落ち葉等が吹き飛ばされ易くなる。
【図面の簡単な説明】
【００１８】
【図１】本発明の一実施形態に係る軒樋の落ち葉除け構造を示す断面図である。
【図２】本発明の一実施形態に係る軒樋の落ち葉除け構造において落ち葉受け部に落ち葉が載っている状態を示す断面図である。
【図３】図１に示す軒樋の落ち葉除け構造の落ち葉除け部材の上部を示す部分拡大図である。
【図４】図３と同様に、図１に示す軒樋の落ち葉除け構造の落ち葉除け部材の上部を示す部分拡大図である。
【図５】本発明の参考形態に係る軒樋の落ち葉除け構造において落ち葉受け部に落ち葉が載っている状態を示す断面図である。
【図６】本発明のさらに他の実施形態に係る軒樋の落ち葉除け構造において落ち葉受け部に落ち葉が載っている状態を示す断面図である。
【発明を実施するための最良の形態】
【００１９】
以下、図面を参照して本発明の具体的な実施形態を詳述する。
【００２０】
図１に示す軒樋２の落ち葉除け構造は、軒樋２の上方開口部に通水性を有する落ち葉除け部材１を取付けたものであり、落ち葉除け部材１は、軒樋２の屋外側耳部２ａから屋根３の先端部にかけての上方開口面を覆うように取付けられている。
【００２１】
軒樋２は、底壁２ｅから立ち上がる屋外側壁２ｃ、建物側壁２ｄとそれぞれの先端に形成されている屋外側耳部２ａ、建物側耳部２ｂを備えるものであり、屋外側耳部２ａ、建物側耳部２ｂを支持具（不図示）で保持して建物の軒先に取付けられている。
【００２２】
落ち葉除け部材１は、通水性と通風性を備え、かつ一定サイズより大きな異物を通過させない開口部を有するもので、軒樋２の上方開口部のうち、少なくとも軒樋２の屋外側耳部２ａと屋根３の先端部にかけての上方開口面を覆うように取付けられ、これにより落ち葉等の軒樋２内への入り込みを防止しつつ、雨水や風Ｗを通過させて、雨水を軒樋２に導入し、通過させた風Ｗによって落ち葉等を吹き飛ばすことを可能とする。本実施例においては、ポリエチレン、ポリプロピレン、ポリ塩化ビニル等の熱可塑性樹脂で成形された網目状のネット体を軒樋２の上方開口部に収まるように折り曲げ加工したものが用いられており、落ち葉受け部１ａ、通風部１ｂ、屈曲部１ｅ、屋外側折返し部１ｃ、建物側折返し部１ｄとからなるものである。この落ち葉除け部材１に用いるネット体は、軒樋２の長手方向に長く伸びて形成されており、その長さは、軒樋２の内側に収まるように軒樋２よりも短くなっている。一方、軒樋２の長手方向に対して直交する方向（以下、幅方向という）の長さは、落ち葉受け部１ａ、通風部１ｂ、屈曲部１ｅ、屋外側折返し部１ｃ、建物側折返し部１ｄを形成できる長さになっている。このネット体を、折り目が軒樋２の長手方向と略平行となるように折り曲げ加工することで、本実施例における落ち葉除け部材１が形成されている。また、落ち葉除け部材１は、網目状のネット体であるため、通水性、通風性を有するが、落ち葉等は入り込めないような目の細かさに設計されている。この網目状のネット体の他にも、雨水や風Ｗは通り抜けできるが、落ち葉等は通さないものであれば、本発明の落ち葉除け部材１として用いることができ、例えば、多くの孔が穿孔された板体や筒状体等も好適に用いられ、その材質も熱可塑性樹脂に限定されず、ステンレスやアルミニウム等の金属材料等も好適に用いられる。
【００２３】
上記落ち葉受け部１ａは、落ち葉除け部材１における軒樋２の屋外側耳部２ａから屋根３の先端部にかけての上方開口面を覆う部分のうち、通風部１ｂと屈曲部１ｅを除いた部分であり、通水性と通風性を備え、かつ一定サイズより大きな異物を通過させない開口部を有することから、その表面に落ち葉等を通過させずに残留させることで落ち葉等が軒樋２へ入り込むことを防止する。落ち葉受け部１ａの表面に落ち葉等が載った状態で雨が降ると、落ち葉等は雨水によって落ち葉受け部１ａから屋外側へ流されて滑り落ちるものと、雨水に濡らされて落ち葉受け部１ａの表面に付着して残留し、堆積するものがある。堆積した落ち葉等が少量の場合、雨水は落ち葉受け部１ａの表面の落ち葉等が堆積していない部分から軒樋２内へ流入することができるが、堆積した落ち葉等が大量の場合には、落ち葉等が堆積していない部分がほとんどないため雨水は軒樋２内へ流入し難くなり、流入できなかった雨水は落ち葉等の表面を伝って屋外側へ垂れ流しになってしまう。そこで、落ち葉受け部１ａの表面に落ち葉等が堆積しないように、本発明の落ち葉除け部材１には、通風部１ｂと屈曲部１ｅが形成されている。
【００２４】
通風部１ｂは、落ち葉受け部１ａと同様に、通水性と通風性を備え、かつ一定サイズより大きな異物を通過させない開口部を有するので、その表面から落ち葉等は通過できないが、雨水や風は通過することができる。通風部１ｂは、さらに、その傾斜角度Ｔが、落ち葉受け部１ａの傾斜角度Ｕ１，Ｕ２よりも大きく形成されている部分であるので、通過できなかった落ち葉等は滑り落ちる等して、その表面に残留することはなく、常に外部からの風Ｗを通過させて樋２の内側に吹き込ませ、落ち葉受け部１ａの裏側にも及ぶから、吹き込んだ風Ｗが落ち葉受け部１ａに載った落ち葉等を吹き飛ばし易くする効果を有する。図１に示した実施例では、建物側から屋外側に向かって、建物側の落ち葉受け部１ａ、建物側の屈曲部１ｅ、通風部１ｂ、屋外側の屈曲部１ｅ、屋外側の落葉受け部１ａの順で形成されており、通風部１ｂは、建物側の落ち葉受け部１ａの屋外側端部から建物側の屈曲部１ｅを介して下向き（屋外側の落ち葉受け部１ａの建物側端部から屋外側の屈曲部１ｅを介して上向き）に略垂直に形成されているので、通風部１ｂの表面に落ち葉等が残留して堆積することは皆無である。
【００２５】
一方、屈曲部１ｅは、落ち葉受け部１ａと通風部１ｂとの間に形成された小さな曲率半径で屈曲した部分である。この屈曲部１ｅは、曲率半径が小さいので、落ち葉等がこの部分を跨いで載った場合でも、屈曲部１ｅの両端に連なる落ち葉受け部１ａと通風部１ｂの両方に跨って添うことは難しいため、落ち葉等と落ち葉除け部材１との接触面積が少なくなると共に、落ち葉等と落ち葉除け部材１との間に隙間ができるため、その隙間に風Ｗが吹き込むと落ち葉等は容易に吹き飛ばされるという効果を有する。本実施例における屈曲部１ｅの曲率半径は３０ｍｍ以下となるように形成されており、曲率半径が小さいため、落ち葉等がこの部分に跨いで載った場合でも、屈曲部１ｅの両端に連なる落ち葉受け部１ａと通風部１ｂの両方に跨って添うことは難しく、上述した効果を十分に奏する。さらに、屈曲部１ｅを１０ｍｍ以下の小さな曲率半径となるように形成することで、屈曲部１ｅを跨いで落ち葉受け部１ａと通風部１ｂの両方に跨って添うことは皆無となり、上述した効果がより顕著となる。
尚、屈曲部１ｅは、３０ｍｍ以下、さらには１０ｍｍ以下の小さな曲率半径であることが好ましいが、曲率半径が０ｍｍの完全な角を屈曲部１ｅとしてもよく、曲率半径の小さな屈曲部１ｅと同様の効果を奏する。
【００２６】
図２は建物側の落ち葉受け部１ａの上に落ち葉が載っている状態を示すものであるが、落ち葉は、落ち葉受け部１ａに約半分が載っており、残りの約半分は屋外側へはみ出した状態になっている。すなわち、建物側の落ち葉受け部１ａから建物側の屈曲部１ｅを介して通風部１ｂが下向きに略垂直に形成され、通風部１ｂの下端から屋外側の屈曲部１ｅを介して屋外側下向きに傾斜するように屋外側の落ち葉受け部１ａが形成されていることによって通風部１ｂの高さ分の段差が生じると共に、建物側の屈曲部１ｅは小さな曲率半径で屈曲しているため、落ち葉は落ち葉受け部１ａから通風部１ｂに跨ってその表面形状に添うことができず、落ち葉と落ち葉除け部材１との間に隙間ができる。この隙間に風Ｗが吹き付けることで落ち葉は容易に飛ばされるので、落ち葉受け部１ａに落ち葉が堆積することはなくなる。
また、図２に示すように落ち葉受け部１ａの建物側端部から屋外側端部までの長さを落ち葉等の大きさよりも短くなるように形成することで、落ち葉等が落ち葉受け部１ａからはみ出すため、上述した隙間ができ易くなって、落ち葉等と落ち葉受け部１ａの接触面積が小さくなるので落ち葉等が風Ｗで吹き飛ばされ易くなる。
【００２７】
このような本発明の落ち葉除け構造において、図２に示すように落ち葉受け部１ａの上に落ち葉等が載っている状態で風Ｗが吹くと、通風部１ｂの表面には落ち葉等が載っていないので、風Ｗは通風部１ｂを通り抜けて落ち葉除け部材１の内側（裏側）へ吹き込むことができる。落ち葉除け部材１の内側へ吹き込んだ風Ｗが、落ち葉受け部１ａの裏側に吹き付けると、落ち葉受け部１ａの表面に載っている落ち葉等の裏側から風Ｗが吹き付けることになるので、落ち葉等は吹き飛ばされて落ち葉受け部１ａから屋外側へ落下する。また、落ち葉等が濡れた状態で落ち葉受け部１ａに付着している場合は、落ち葉等の裏側から風Ｗが吹き付けることで、落ち葉等と落ち葉受け部１ａとの接触部分が乾いて落ち葉等が落ち葉受け部１ａから離れ易くなり、さらに風Ｗが吹き付けることで落ち葉等は容易に吹き飛ばされて落ち葉受け部１ａから屋外側へ落下する。
尚、建物側の落ち葉受け部１ａは、通風部１ｂよりも建物側に形成されているので、通風部１ｂから落ち葉除け部材１の内側（裏側）へ吹き込んだ風Ｗは、建物側の落ち葉受け部１ａの裏側に直接的に吹き付けることになるため、後述する建物側の落ち葉受け部１ａの傾斜角度Ｕ１が、比較的小さい角度であっても落ち葉等がその表面に残留して堆積することはない。
【００２８】
上記のような落ち葉受け部１ａは、図３に示すように、屋外側へ向けて下方に傾斜する傾斜面として形成されており、屋外側の落ち葉受け部１ａの傾斜角度Ｕ２は、建物側の落ち葉受け部１ａの傾斜角度Ｕ１よりも大きく形成されている。このように、屋外側の落ち葉受け部１ａの傾斜角度Ｕ２を建物側の落ち葉受け部１ａの傾斜角度Ｕ１よりも大きくすることで、屋外側の落ち葉受け部１ａの表面に載った落ち葉等がより滑り落ち易くなり、屋外側の落ち葉受け部１ａの表面に落ち葉等が堆積することを防止でき、屋外側の落ち葉受け部１ａの建物側に形成されている通風部１ｂが落ち葉等で塞がれることもなくなるため、確実に通風部１ｂから落ち葉除け部材１の内側へ風Ｗが吹き込むことができるようになる。落ち葉受け部１ａの傾斜角度Ｕ１，Ｕ２は、０°〜６０°の間で形成することが好ましく、５°〜４５°の間で形成することがより好ましい。すなわち、落ち葉受け部１ａは、水平面（傾斜角度Ｕ１，Ｕ２が０°）でも構わないが、傾斜角度Ｕ１，Ｕ２を５°以上とすることで落ち葉等が滑り落ち易くなると共に、傾斜角度Ｕ１，Ｕ２を４５°以下とすることで軒樋２の屋外側耳部２ａから屋根３の先端部にかけての上方開口面を覆うような面（落ち葉受け部１ａ）を確実に形成することができる。さらに、屋外側の落ち葉受け部１ａの屋外側端部を軒樋２の屋外側耳部２ａ付近に位置させることで、落ち葉受け部１ａの表面に載った落ち葉等を屋外側へスムーズに滑り落ちさせることができる。
尚、図中の破線は、水平を表す線である。
【００２９】
一方、通風部１ｂの傾斜角度Ｔは、落ち葉受け部１ａの傾斜角度Ｕ１，Ｕ２よりも大きく形成されている。通風部１ｂの傾斜角度Ｔは、４５°〜１７５°の間で形成することが好ましく、６０°〜１３５°の間で形成することがより好ましく９０°〜１３５°の間で形成することがさらに好ましい。通風部１ｂの傾斜角度Ｔを４５°以上とすることで、通風部１ｂの表面に落ち葉等が残留し難くなるが、傾斜角度Ｔを６０°以上とすることで落ち葉等の残留はほとんどなくなり、さらに、９０°以上とすることで残留は皆無となり、確実に通風部１ｂから落ち葉除け部材１の内側へ風Ｗが吹き込むことができるようになるからである。また、傾斜角度Ｔを１７５°以下とすることで、風Ｗが吹き込む入り口を確保することは十分可能であるが、傾斜角度Ｔを１３５°以下とすることで確実に風Ｗが吹き込む入り口を確保することができるからである。
【００３０】
次に、図４に示す建物側の落ち葉受け部１ａと通風部１ｂとの間の屈曲角度Ｂは、建物側の落ち葉受け部１ａと通風部１ｂと間の屈曲部1ｅの角度であり、屈曲部1ｅの曲率半径を前述した３０ｍｍ以下にすると共に、屈曲角度Ｂを次のように形成することで、落ち葉等が落ち葉受け部１ａに堆積することはなくなる。すなわち、屈曲角度Ｂを５°〜１３５°の間で形成することが好ましく、４５°〜１２０°の間で形成することがより好ましく、４５°〜９０°の間で形成することがさらに好ましい。これは、屈曲角度Ｂを５°以上とすることで風Ｗが吹き込む入り口を確保することは十分可能であるが、屈曲角度Ｂを４５°以上とすることで確実に風Ｗが吹き込む入り口を確保することができからである。また、屈曲角度Ｂを１３５°以下とすることで、落ち葉受け部１ａに載った落ち葉等が屈曲部１ｅを跨いで落ち葉受け部１ａから通風部１ｂにかけての表面形状に添って引っ掛かることが困難となるが、屈曲角度Ｂを１２０°以下とすることで引っ掛かかりはほとんどなくなり、屈曲角度Ｂを９０°以下とすることで皆無となる。
【００３１】
屋外側折返し部１ｃと建物側折返し部１ｄは、落ち葉除け部材１における軒樋２の屋外側耳部２ａから屋根３の先端部にかけての上方開口面を覆う部分の幅方向（軒樋２の長手方向と略直交する方向）の両端部から落ち葉除け部材１の裏側に向かって折り返された部分であり、落ち葉除け部材１を軒樋２へ取付ける際に、屋外側折返し部１ｃと建物側折返し部１ｄを軒樋２内へ挿入して、軒樋２内での収まりをよくし、落ち葉除け部材１が軒樋２から脱落することを防止できる効果を奏する。例えば、屋外側折返し部１ｃを軒樋２の屋外側壁２ｃに当接させたり、建物側折返し部１ｄを屋根３の軒先に設けられている水切り板に当接させたり、屋外側折返し部１ｃと建物側折返し部１ｄの両方を軒樋２の支持具（不図示）に当接させたりして軒樋２内での収まりをよくして落ち葉除け部材１を軒樋２内に固定することで、落ち葉除け部材１が軒樋２から脱落することを防止できる。
【００３３】
図６に示した落ち葉除け構造は、本発明のさらに他の実施形態に係る軒樋の落ち葉除け構造であり、建物側の落ち葉受け部１ａと屋外側の落葉受け部１ａとの間に跨って形成された通風部１ｂと、それぞれの間に形成された屈曲部１ｅ，１ｅを備えた落ち葉除け部材１００を用いたものであって、落ち葉除け部材１００の通風部１ｂは、上向きに凸となる曲率半径の大きな円弧状の建物側の落ち葉受け部１ａの屋外側端部から下向きに略垂直に形成されている。この落ち葉除け部材１００も、前述した落ち葉除け部材１と同様の効果を奏するものである。
【００３４】
以上のような軒樋の落ち葉除け構造に用いられる落ち葉除け部材１は、落ち葉受け部１ａが２つ以上であれば、落ち葉受け部１ａや通風部１ｂの数に制限はなく、例えば、３つの落ち葉受け部（屋外側の落ち葉受け部１ａ，中央の落ち葉受け部１ａ，建物側の落ち葉受け部１ａ）と２つの通風部（屋外側の落ち葉受け部１ａと中央の落ち葉受け部１ａとの間に跨る通風部１ｂ，中央の落ち葉受け部１ａと建物側の落ち葉受け部１ａとの間に跨る通風部１ｂ）を備え、各落ち葉受け部１ａ，１ａ，１ａと各通風部１ｂ，１ｂとの間にそれぞれ屈曲部１ｅ，１ｅ，１ｅ，１ｅが形成された落ち葉除け部材１等も好適に用いられる。
【００３５】
以上のような落ち葉除け部材１の軒樋２への取付け方法は、図１に示すように軒樋２の屋外側耳部２ａから屋根３の先端部にかけての上方開口面を落ち葉受け部１ａ，１ａと通風部１ｂで覆うと共に、屋外側折返し部１ｃと建物側折返し部１ｄを軒樋２の底壁２ｅに向かうようにして落ち葉除け部材１を軒樋２の上方開口部へ挿入し、軒樋２を軒先に固定するための支持具（不図示）に固定バンド等で固定する方法が採られる。また、屋外側折返し部１ｃを軒樋２の屋外側耳部２ａに当接させるようにすることで、落ち葉除け部材１が軒樋２内でずれ難くすることができる。さらに、屋外側折返し部１ｃと建物側折返し部１ｄの先端を内側へ屈曲させたり、湾曲させたりして筒状の落ち葉除け部材１を形成し、軒樋２を軒先に固定するための支持具の上に載置して取付けたり、屋外側折返し部１ｃや建物側折返し部１ｄを軒樋２の底壁２ｅまで達するような長さに形成し、軒樋２内に載置して取付けることで落ち葉除け部材１を軒樋２内にしっかり固定することができる。この他、落ち葉除け部材１の一部に、軒樋２を軒先に固定するための支持具が嵌まり込むような切込みを入れて取付け、落ち葉除け部材１を固定し易くする等、取付け方法は特に限定されるものではなく、種々の方法が採られる。
【符号の説明】
【００３６】
１      落ち葉除け部材
１ａ    落ち葉受け部
１ｂ    通風部
１ｃ    屋外側折返し部
１ｄ    建物側折返し部
１ｅ    屈曲部
２      軒樋
２ａ    屋外側耳部
２ｂ    建物側耳部
２ｃ    屋外側壁
２ｄ    建物側壁
２ｅ    底壁
３      屋根
Ｗ      風
Ｕ１    建物側の落ち葉受け部の傾斜角度
Ｕ２    屋外側の落ち葉受け部の傾斜角度
Ｔ      通風部の傾斜角度
Ｂ      建物側の落ち葉受け部と通風部との間の屈曲角度
Ｒ．Ｌ  屋根上面の仮想延長線
【図１】
0005561824.tif 000002
【図２】
0005561824.tif 000003
【図３】
0005561824.tif 000004
【図４】
0005561824.tif 000005
【図５】
0005561824.tif 000006
【図６】
0005561824.tif 000007